(57)【要約】【課題】  回線を複数の利用者に割り当てるサービスにおいて、利用者ごとの帯域占有の実現と、帯域を利用しない時間の無駄な費用削減と、を両立する。【解決手段】  利用者装置に割り当てる帯域を制御する、帯域割り当て制御システムは、変更管理装置と、帯域管理者装置と、登録情報データ管理装置と、を備え、前記変更管理装置は、前記帯域管理者装置から受信した帯域登録変更要求に応じて、前記登録情報データ管理装置が管理するデータを参照して、帯域割り当て可能判断を行い、割り当て可能と判断したら、要求内容に応じて、前記登録情報データ管理装置が管理する前記データの更新を要求し、前記登録情報データ管理装置が更新した前記データを参照して、帯域制御装置の設定変更内容を決定し、設定変更を指示する。【選択図】  図１
2017098587.tif 000002
【特許請求の範囲】
【請求項１】
利用者装置に割り当てる帯域を制御する、帯域割り当て制御システムであって、
変更管理装置と、帯域管理者装置と、登録情報データ管理装置と、を備え、
前記変更管理装置は、
前記帯域管理者装置から受信した帯域登録変更要求に応じて、前記登録情報データ管理装置が管理するデータを参照して、帯域割り当て可能判断を行い、
割り当て可能と判断したら、要求内容に応じて、前記登録情報データ管理装置が管理する前記データの更新を要求し、
前記登録情報データ管理装置が更新した前記データを参照して、帯域制御装置の設定変更内容を決定し、設定変更を指示する、
ことを特徴とする帯域割り当て制御システム。
【請求項２】
請求項１に記載の帯域割り当て制御システムであって、
前記登録情報データ管理装置は、
前記登録情報データ管理装置が前記データを更新したら、前記帯域管理者装置へ、登録完了応答を前記変更管理装置へ送信する
ことを特徴とする帯域割り当て制御システム。
【請求項３】
請求項１または２に記載の帯域割り当て制御システムであって、
前記変更管理装置は、
前記登録情報データ管理装置が管理する前記データを参照して、帯域割り当て可能でない、と判断したら、前記登録変更要求に対する拒否応答を前記帯域管理者装置へ送信する
ことを特徴とする帯域割り当て制御システム。
【請求項４】
請求項１から３のいずれか一に記載の帯域割り当て制御システムであって、
帯域収集装置と、帯域実績データ管理装置と、参照管理装置と、帯域確認者装置と、を備え、
前記帯域収集装置は、
繰り返し、前記帯域制御装置から、利用帯域情報を収集し、帯域実績データ管理装置に格納し、
前記参照管理装置は、
前記帯域確認者装置から受信した帯域参照要求が指定する利用者と期間とに基づき、帯域実績データ管理装置から、前記利用者に係る利用帯域実績を取得し、
取得した前記利用帯域実績から帯域情報応答を作成し、
前記帯域確認者装置へ送信する
ことを特徴とする帯域割り当て制御システム。
【請求項５】
請求項１から４のいずれか一に記載の帯域割り当て制御システムであって、
前記登録情報データ管理装置は、管理項目として、利用者識別子と、ネットワークセグメントと、当該利用者に対する帯域制御を行う設定変更対象装置と、開始時刻と、終了時刻と、割り当て帯域と、を有する
ことを特徴とする割り当て帯域制御システム。
【請求項６】
請求項１から５のいずれか一に記載の帯域割り当て制御システムであって、
前記帯域実績データ管理装置は、管理項目として、ネットワークセグメントと、当該ネットワークセグメントの収集時刻毎の利用帯域実績と、を有する
ことを特徴とする割り当て帯域制御システム。
【発明の詳細な説明】
【技術分野】
【０００１】
開示される主題は、通信網会社が提供する回線を個々の利用者に割り当てる、帯域制御方法に関する。
【背景技術】
【０００２】
事業者がサーバ装置やストレージ装置をデータセンタに準備し、企業などの利用者に必要なリソースを貸し出すサービスの需要が高まっている。データセンタ側装置のリソースを利用する企業等利用者側のサーバ装置やストレージ装置などの利用者装置をテナント側装置と呼ぶ。テナント側装置がデータセンタ側装置のリソースを利用する際は、ネットワーク回線を経由して接続するため、事業者が通信網会社の回線を契約し、必要な帯域をテナント側装置に貸し出すサービスが普及している。
【０００３】
このような事業者がテナント側装置に帯域を貸し出すサービスにおいて、実際にテナント側装置が利用する帯域は時刻または曜日または日付などにより大きく変動するため、帯域を利用しない時間が発生し、費用が無駄になっている（例えば、非特許文献１参照）。
【０００４】
帯域を効率的に利用する技術として、特許文献１がある。
【０００５】
この公報には、「ＩＳＰに所望の帯域を割当てる手段を備えたネットワークシステムであって、本発明の特徴とするところは、ＩＳＰに割当てる実効的に使える帯域の広さに応じてＩＳＰが通信網会社に支払う対価が設定され、前記割当てる手段は、前記対価に応じた広さの帯域を割当てる手段を備えたところにある。」と記載されている（段落００１０）。
【先行技術文献】
【特許文献】
【０００６】
【特許文献１】特開２００２−１１８５８７号公報
【非特許文献】
【０００７】
【非特許文献１】John Dix, Network World、“Google's software-defined/OpenFlow backbone drives WAN links to 100% utilization”、［online］、平成２４年６月７日、［平成２５年９月６日検索］、インターネット＜URL：http://www.networkworld.com/news/2012/060712-google-openflow-vahdat-259965.html?page=1＞
【発明の概要】
【発明が解決しようとする課題】
【０００８】
前記特許文献１には帯域を効率的に利用する仕組みが記載されている。しかし、特許文献１の方法は回線全体の帯域が余っている場合にのみ効果的であり、帯域が余っていない場合はベストエフォート回線になる。
【０００９】
一方、テナント側装置がデータセンタ側装置のリソースを利用する際に、高い通信品質が求められる場合は、ベストエフォート回線ではなく、固定帯域により帯域を占有することが望ましい。
【００１０】
このことから、テナントごとの帯域占有の実現と、帯域を利用しない時間に係る無駄な費用の削減と、の両立が求められている。
【課題を解決するための手段】
【００１１】
本明細書で開示されるのは、テナント側装置ごとに割り当てる帯域を制御する帯域制御装置を、動的に設定変更しテナント側装置が指定した時間ごとに割り当てる帯域を変動させる仕組みであり、その具体的な態様の一例は、利用者装置に割り当てる帯域を制御する、帯域割り当て制御システムである。
【００１２】
開示される帯域割り当て制御システムは、変更管理装置と、帯域管理者装置と、登録情報データ管理装置と、を備え、
前記変更管理装置は、
前記帯域管理者装置から受信した帯域登録変更要求に応じて、前記登録情報データ管理装置が管理するデータを参照して、帯域割り当て可能判断を行い、
割り当て可能と判断したら、要求内容に応じて、前記登録情報データ管理装置が管理する前記データの更新を要求し、
前記登録情報データ管理装置が更新した前記データを参照して、帯域制御装置の設定変更内容を決定し、設定変更を指示する、ことを特徴とする。
【発明の効果】
【００１３】
開示により、回線の通信品質を保ちながら帯域の効率利用を実現し、帯域貸し出しにおける費用削減が可能になる。
【図面の簡単な説明】
【００１４】
【図１】本実施例の全体構成図である。
【図２】本実施例の全体構成におけるテナント内部構造例である。
【図３】本実施例の全体構成におけるデータセンタ内部構造例である。
【図４】本実施例の登録情報データ管理装置が管理する登録情報データテーブルの構成例である。
【図５】本実施例の帯域実績データ管理装置が管理する帯域実績データテーブルの構成例である。
【図６】本実施例における帯域登録処理シーケンス例である。
【図７】本実施例における帯域変更処理シーケンス例である。
【図８】従来の帯域利用イメージ図である。
【図９】本実施例の帯域利用イメージ図である。
【図１０】本実施例における帯域利用量確認処理シーケンス例である。
【発明を実施するための形態】
【００１５】
以下、図面を参照して、実施の形態について説明する。
【００１６】
本実施例では、帯域を貸し出す事業者が、通信網会社が提供する回線を契約して、複数の利用者に帯域を割り当て貸し出すサービスを実現するシステムを開示する。
【００１７】
図１は、本システムの概略構成の一例である。
【００１８】
テナントＡ１０１内の装置は、帯域制御装置Ａ１０２を介して回線１０９に接続する。同様にテナントＢ１０３内の装置は帯域制御Ｂ１０４を介して、テナントＣ１０５内の装置は帯域制御装置Ｃ１０６を介して、回線１０９に接続する。
【００１９】
データセンタ１０７内の装置は、帯域制御装置Ｄ１０８を介して回線１０９に接続する。
【００２０】
回線１０９は、事業者が通信網会社と契約した固定帯域の回線である。
【００２１】
各帯域制御装置Ａ〜Ｄは、各テナントのＩＰアドレスなどにより利用可能な帯域を制限することでテナントごとに割り当てる帯域を制御する。
【００２２】
登録情報データ管理装置１１０は、全てのテナント側装置ごとに、時間ごとに割り当てる帯域に係るデータ、例えば、登録情報データテーブルを保持して管理する。
【００２３】
変更管理装置１１１は、登録受付部１１２、登録認証部１１３、スケジュール制御部１１４、コマンド作成部１１５、設定変更部１１６を含んで成る。
【００２４】
登録受付部１１２は、帯域管理者装置１１７からの帯域登録変更要求を受け付ける。
【００２５】
登録認証部１１３は、登録情報データテーブルを参照し、帯域登録変更要求で受け付けた帯域が登録可能か認証し、登録可能であれば登録情報データテーブルを更新し、登録不可であれば登録受付部１１２を介して帯域管理者装置１１７に拒否応答する。
【００２６】
スケジュール制御部１１４は、登録情報データテーブルに登録されたスケジュールで動作し、登録情報データテーブルに登録されているテナントの設定帯域をコマンド作成部１１５に送る。
【００２７】
コマンド作成部１１５は、帯域制御装置の設定変更に必要なコマンドを作成し、設定変更部１１６に送る。
【００２８】
設定変更部１１６は、設定を変更する帯域制御装置にログインし設定変更コマンドを実行する。
【００２９】
帯域収集装置１１８は、繰り返し、例えば定期的に、帯域制御装置Ｄ１０８から、実際の利用帯域情報を収集し、ネットワークセグメントごとに帯域実績データ管理装置１１９に保存する。
【００３０】
帯域実績データ管理装置１１９は、帯域収集装置１１８が収集したネットワークセグメントごとの実際の利用帯域に係るデータを時系列ごとに保持して、例えば、帯域実績データテーブルにて管理する。
【００３１】
参照管理装置１２０は、参照受付部１２１、参照実行部１２２を含んで成る。
【００３２】
参照受付部１２１は、帯域確認者装置１２３からの帯域参照要求を受け付ける。
【００３３】
参照実行部１２２は、登録情報データテーブルを参照し、帯域参照要求で受け付けたテナント側装置のネットワークセグメントの情報をデータテーブルから取得し、取得したネットワークセグメントの利用帯域履歴を帯域実績データ管理装置１１９から取得し、参照受付部１２１を介して帯域確認者装置１２３に応答する。
【００３４】
なお、登録情報データ管理装置１１０と、変更管理装置１１１と、帯域収集装置１１８と、帯域実績データ管理装置１１９と、参照管理装置１２０と、は、それぞれ、プロセッサとハードディスク、SSD（Solid State Drive）等の記録装置、を備える情報処理装置において、プロセッサが、記録装置に格納されたそれぞれの機能を実現するプログラムを解釈し、実行することにより実現される。上記プログラム、テーブル等で管理されるデータ、ファイル等の情報は、上記記録装置、または、ＩＣカード、ＳＤカード、ＤＶＤ等の外部記録媒体に格納することができる。
【００３５】
また、これらの装置は、図１では独立した装置として記しているが、任意の組み合わせで一体化しても良い。
【００３６】
図２は、図１中に示すテナントＡ１０１の内部構造の一例を示す図である。なお、他のテナントＢ１０３およびテナントＣ１０５についても同様の内部構造とする。
【００３７】
テナントＡ１０１はネットワーク装置Ａ２０１、サーバ装置Ａ２０２、ストレージ装置Ａ２０３を有す。
【００３８】
サーバ装置Ａ２０２およびストレージ装置Ａ２０３は、例えば、テナントＡの所有装置であり、ネットワーク装置Ａ２０１および帯域制御装置Ａ１０２を介して回線１０９と接続する。
【００３９】
図３は、図１中に示すデータセンタ１０７の内部構造の一例を示す図である。
【００４０】
データセンタ１０７はネットワーク装置Ｂ３０１、サーバ装置Ｂ３０２、ストレージ装置Ｂ３０３を有す。
【００４１】
サーバ装置Ｂ３０２およびストレージ装置Ｂ３０３は、例えば、事業者の所有装置であり、テナントＡ１０１、テナントＢ１０３、テナントＣ１０５がリソースとして利用する装置であり、ネットワーク装置Ａ３０１および帯域制御装置Ｄ１０８を介して回線１０９と接続する。
【００４２】
事業者は、回線１０９の帯域をテナントＡ１０１、テナントＢ１０３、テナントＣ１０５それぞれに貸し出すことで、データセンタ１０７のリソースであるサーバ装置Ｂ３０２およびストレージ装置Ｂ３０３を利用できるようにする。
【００４３】
例えば、テナントＡ１０１は、サーバ装置Ａ２０２およびストレージ装置Ａ２０３からデータセンタ１０７のリソースであるサーバ装置Ｂ３０２およびストレージ装置Ｂ３０３を利用できるようになる。
【００４４】
変更管理装置１１１は、帯域制御装置Ａ１０２、帯域制御装置Ｂ１０４、帯域制御装置Ｃ１０６、帯域制御装置Ｄ１０８の設定を変更することで、テナントＡ１０１、テナントＢ１０３、テナントＣ１０５に貸し出す帯域を制御する。
【００４５】
図４は、登録情報データ管理装置１１０が管理するデータ、例えば、登録情報データテーブルの一例を示す図である。
【００４６】
登録情報データテーブルは、テナント名４０１、ネットワークセグメント４０２、対象装置４０３、開始時刻４０４、終了時刻４０５、割り当て帯域４０６を持つ。
【００４７】
テナント名４０１は、テナントごとに一意に割り当てる利用者識別子である。ネットワークセグメント４０２は、テナント側装置ごとに使用するＩＰアドレスのネットワークセグメントである。対象装置４０３は、テナント側装置ごとに割り当てる帯域を変更する際の設定変更対象の帯域制御装置である。開始時刻４０４は、帯域変更を行う時刻である。終了時刻４０５は帯域割り当てを終了する時刻である。割り当て帯域４０６は、テナント側装置に割り当てる帯域である。
【００４８】
例えば、テナントＡは利用しているネットワークセグメントが１０．１０．１０．０／２４であり、設定変更する際の対象帯域制御装置が帯域制御装置Ａおよび帯域制御装置Ｄであり、９：００から２０：００までの間は３０Ｍｂｐｓの帯域が割り当てられ、２０：００から翌日の９：００までの間は１０Ｍｂｐｓの帯域が割り当てられることを示している。
【００４９】
なお、開始時刻４０４および終了時刻４０５は、日時を指定しても良い。
【００５０】
開始時刻および終了時刻を指定する場合は、日々の繰り返し運用を想定した場合に有効であり、日時を指定した場合は、必要帯域が通常と異なる特異日の帯域を指定する運用を想定した場合に有効である。
【００５１】
図５は、帯域実績データ管理装置１１９が管理するデータ、例えば、帯域実績データテーブルの一例を示す図である。
【００５２】
帯域実績データテーブルは、ネットワークセグメント４０２、利用帯域実績５０１を持つ。
【００５３】
利用帯域実績５０１は、帯域収集装置１１８が帯域制御装置Ｄ１０８から繰り返し収集する、ネットワークセグメントごとの実際の利用帯域情報を、収集した時刻ごとに保持する。
【００５４】
図６は、テナント側装置に割り当てる帯域を登録する際の処理シーケンスの一例を示す図である。
【００５５】
帯域管理者装置１１７は、帯域登録変更要求６０１を、変更管理装置１１１の登録受付部１１２に送る。
【００５６】
帯域登録変更要求６０１は、帯域登録を行うテナント名と、割り当て帯域と、帯域を割り当てる開始時刻と、帯域割り当ての終了時刻を持つ。
【００５７】
登録受付部１１２は、帯域登録変更要求６０１を受け付け、受け付けた情報に基づく認証要求６０２を登録認証部１１３に送る。
【００５８】
登録認証部１１３は、認証要求６０２を受け付け、帯域情報参照６０３により登録情報データテーブルを参照し、帯域を割り当てる時間の全テナントの最大割り当て帯域を取得する。
【００５９】
登録認証部１１３は、認証要求６０２にて要求された情報と、帯域情報参照６０３で取得した情報と、を比較し帯域割り当て可能判断６０４を行う。
【００６０】
帯域割り当て可能判断６０４において、要求された帯域を割り当てた場合に回線全体の帯域を超える場合は、登録不可と判断し拒否応答６０５を登録受付部１１２を介して帯域管理者装置１１７に送る。回線全体の帯域を超えない場合は登録可能と判断し登録情報データ管理装置１１０に、データ更新を要求する登録６０６を送る。
【００６１】
登録６０６は、帯域登録を行うテナント名と、割り当てたい帯域と、帯域を割り当てる開始時刻と、帯域割り当ての終了時刻を持つ。
【００６２】
登録情報データ管理装置１１０は、登録６０６を受け付けると、登録情報データテーブルの情報更新６０７を行う。
【００６３】
情報更新６０７は、該当するテナントの開始時刻４０４、終了時刻４０５、割り当て帯域４０６を更新する。
【００６４】
登録情報データ管理装置１１０は、情報更新６０７が完了すると、登録完了応答６０８を登録認証部１１３および登録受付部１１２を介して、帯域管理者装置１１７に送る。
【００６５】
この処理方法により、テナントごとに期間と帯域を指定した帯域割り当てを、登録情報データテーブルに登録することができる。
【００６６】
図７は、テナント側、データセンタ側の帯域制御装置Ａ１０２、Ｂ１０４、Ｃ１０６、Ｄ１０８の設定を変更する際の処理シーケンスの一例を示す図である。
【００６７】
登録情報データ管理装置１１０は、帯域登録処理（上記図６参照）が行われると、情報更新通知７０１をスケジュール制御部１１４に送る。
【００６８】
スケジュール制御部１１４は、情報更新通知７０１を受け付け、更新情報参照７０２を登録情報データ管理装置１１０に行う。
【００６９】
更新情報参照７０２では、更新されたネットワークセグメント４０２、対象装置４０３、開始時刻４０４と、割り当て帯域４０６を、要求して取得する。
【００７０】
スケジュール制御部１１４は、更新情報参照７０２で取得した情報を元にジョブスケジュール作成７０３を行う。
【００７１】
ジョブスケジュール作成７０３は、開始日時４０４以前に設定変更命令７０４をコマンド作成部１１５に送るジョブの実行スケジュールである。
【００７２】
この時、ジョブスケジュール作成７０３では、スケジュール制御部１１４は、終了時刻４０５を参照し、終了時刻になった後に連続した開始時刻のスケジュールが存在するかを確認する。
【００７３】
連続した開始時刻のスケジュールが存在しない場合は、終了時刻４０５を開始時刻とした、割り当て帯域0Mbpsの新たなスケジュールを作成する。  設定変更命令７０４は、帯域制御装置Ａ１０２〜Ｄ１０８のいずれか一つ以上に対するもので、ネットワークセグメント４０２、対象装置４０３と、割り当て帯域４０６を持つ。
【００７４】
コマンド作成部１１５は、設定変更命令７０４を受け付け、設定変更コマンド作成７０５を行う。
【００７５】
設定変更コマンド作成７０５は、対象装置４０３を元に設定変更を行う帯域制御装置を識別しログインコマンドを作成し、ネットワークセグメント４０２を元に設定変更するネットワークセグメントを識別しネットワークを指定する設定変更コマンドを作成し、割り当て帯域４０５を元に、各テナントに帯域を割り当てるための、帯域制御装置への設定変更コマンドを作成する。
【００７６】
コマンド作成部１１５は、コマンド実行命令７０６を設定変更部１１６に送る。
【００７７】
コマンド実行命令７０６は、作成したログインコマンド、ネットワークを指定する設定変更コマンドと、帯域を割り当てる設定変更コマンド、を含む実行要求である。
【００７８】
設定変更部１１６は、コマンド実行命令７０６を受け付け、帯域制御装置Ａ１０２〜Ｃ１０６のいずれか一つ以上に設定変更７０７を。
【００７９】
帯域制御装置の設定変更７０７は、対象装置４０３が示す設定変更の対象装置にリモートログインし帯域制御の設定変更を行う。
【００８０】
設定変更部１１６は、帯域制御装置の設定変更７０７が完了すると、登録管理応答７０８を、コマンド作成部１１５を介してスケジュール制御部１１４に送る。
【００８１】
設定変更７０７が失敗した場合は、帯域管理者１１７にアラーム通報を発報する仕組みを盛り込んでも良い。
【００８２】
この処理方法により、登録情報データ管理装置１１０への登録内容に従って帯域制御装置の設定を変更し、指定した期間、テナント側装置に指定した帯域を割り当てることができる。
【００８３】
図９に、本実施例に示す方法を適用した際の帯域利用イメージ図を示し、図８に示す、従来の帯域固定での帯域利用イメージ図と比較する。
【００８４】
時間８０１は横軸を示す。帯域８０２は縦軸を示す。８０３は、テナントＡ１０１が時間ごとに利用する帯域を示す。８０４は、テナントＢ１０３が時間ごとに利用する帯域を示す。８０５は、テナントＣ１０５が時間ごとに利用する帯域を示す。図８の破線８０６は、従来方法による回線全体の帯域を示し、図９の破線９０１は、本実施例に示す方法を適用した際の回線全体の帯域を示す。
【００８５】
従来は、事業者はテナント側装置それぞれに最も帯域を利用する時間に合わせて固定の帯域を貸し出していた。そのため、テナント側装置は帯域を利用しない時間にも固定の費用を支払っており無駄な費用が発生していた。また、事業者は、テナント側装置それぞれが最も帯域を利用する時間の合計帯域を通信網会社と契約する必要があり、膨大な費用がかかっていた。
【００８６】
これに対し、上記実施例に示す方法によれば、テナント側装置ごとに割り当てる帯域を指定した期間、変更することにより、必要な分の帯域をテナント側装置それぞれに割り当てることができるようになる。このため、テナント側装置には無駄な費用が発生しない。また、回線全体に必要な帯域が減少するため、事業者にかかる費用も削減できる。
【００８７】
このように、本実施例に示す方法を適用することで、テナント側装置ごとに帯域を占有させることと、帯域を利用しない時間の無駄な費用を削減すること、の両立が可能となる。
【００８８】
図１０は、テナント側装置が実際に利用した帯域を参照する際の処理シーケンスの一例を示す図である。
【００８９】
帯域確認者装置１２３は、帯域参照要求１００１を参照受付部１２１に送る。
【００９０】
帯域参照要求１００１は、参照するテナント名４０１と、参照する期間を持つ。
【００９１】
参照受付部１２１は、帯域参照要求１００１を受け付け、受け付けた情報に基づく認証要求１００２を参照実行部１２２に送る。
【００９２】
参照実行部１２２は、登録情報データ管理装置１１０に対して登録情報参照１００３を行う。
【００９３】
参照実行部１２２は、登録情報参照１００３において、参照の要求を受けたテナント名４０１のネットワークセグメント４０２を取得する。
【００９４】
参照実行部１２２は、帯域情報データ管理装置１１９に対して帯域情報参照１００４を行う。
【００９５】
参照実行部１２２は、帯域情報参照１００４において、認証要求１００２で受け付けた参照する期間を元に、帯域情報データ管理装置１１９に取得する期間を指定し、登録情報参照１００３で取得したネットワークセグメント４０２に係る利用帯域実績５０１を取得する。
【００９６】
参照実行部１２２は、帯域情報応答１００５を、参照受付部１２１を介して帯域確認者装置１２３へ送る。
【００９７】
帯域情報応答１００５は、帯域情報参照１００４で取得した利用帯域実績５０１を、認証要求１００２で受け付けた期間分持つ。
【００９８】
この処理方法により、帯域確認者装置１２３は、実際の利用帯域を把握することができ、実際の利用帯域と比べて割り当てている帯域が適切かを検討することができ、帯域利用をさらに効率化することができる。
【００９９】
本実施例によれば、以下の効果を期待できる。
【０１００】
各テナントは時間ごとに登録した帯域に応じて費用を支払うことで、従来の固定帯域では、時間によっては無駄になっていた帯域に対する費用を低減することが可能になる。
【０１０１】
事業者はテナント側装置に適切に帯域を配分することで、割り当て帯域を平準化することができ、回線を準備するための費用を低減可能である。
【０１０２】
テナント側装置は用途に応じて契約する帯域を変動させることで、使用しない帯域に対して生じていた回線費用を削減可能である。
【０１０３】
テナント側装置に対して、従来の固定帯域と同様に専用帯域を割り当てることができるので、回線品質を保ちながら、上記効果が期待できる。テナントは利用したい帯域を確実に利用できるため、ベストエフォートにならず遅延の心配も減らすことが可能になる。
【０１０４】
事業者、テナントともに、従来の従量課金とは異なり費用を固定化できるため事業計画が立てやすく、実際の利用帯域実績を確認することも可能なので、長期的な見通しを検討することも可能になる。
【０１０５】
なお、上記した実施例は一例であり、様々な変形例が可能である。例えば、上記した実施例が備える構成要素は、説明を分かりやすくするために示したものであり、説明した全ての構成を備える必要はない。すなわち、実施例の構成の一部について、構成要素の削除、または、他の構成要素の追加、または置換が可能である。
【０１０６】
また、上記の各装置、処理部は、それらの一部又は全部を、例えば集積回路で設計する等によりハードウェアで実現してもよい。
【０１０７】
また、上記の各処理部は、プロセッサがそれぞれの機能を実現するプログラムを解釈し、実行することによりソフトウェアで実現してもよい。各機能を実現するプログラム、データ管理装置が管理するデータ、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１０８】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０９】
１０１：テナントＡ
１０２：帯域制御装置Ａ
１０３：テナントＢ
１０４：帯域制御装置Ｂ
１０５：テナントＣ
１０６：帯域制御装置Ｃ
１０７：データセンタ
１０８：帯域制御装置Ｄ
１０９：回線
１１０：登録情報データ管理装置
１１１：変更管理装置
１１７：帯域管理者装置
１１８：帯域収集装置
１１９：帯域実績データ管理装置
１２０：参照管理装置
１２３：帯域確認者装置
４０１：テナント名
４０２：ネットワークセグメント
４０３：対象装置
４０４：開始時刻
４０５：終了時刻
４０６：割り当て帯域
５０１：利用帯域実績
６０１：帯域登録変更要求
６０２：認証要求
６０３：帯域情報参照
６０４：帯域割り当て可能判断
６０５：拒否応答
６０６：登録
６０７：情報更新
６０８：登録完了応答
７０１：情報更新通知
７０２：更新情報参照
７０３：ジョブスケジュール作成
７０４：設定変更命令
７０５：設定変更コマンド作成
７０６：コマンド実行命令
７０７：帯域制御装置の設定変更
７０８：登録完了応答
１００１：帯域参照要求
１００２：認証要求
１００３：登録情報参照
１００４：帯域情報参照
１００５：帯域情報応答
【図１】
2017098587.tif 000003
【図２】
2017098587.tif 000004
【図３】
2017098587.tif 000005
【図４】
2017098587.tif 000006
【図５】
2017098587.tif 000007
【図６】
2017098587.tif 000008
【図７】
2017098587.tif 000009
【図８】
2017098587.tif 000010
【図９】
2017098587.tif 000011
【図１０】
2017098587.tif 000012